(57)【要約】  【課題】複数の照明装置11の中から、任意の照明装置11を特定してアドレス情報等を設定できる照明システムを提供する。  【解決手段】設定器31から設定用の無線信号を送信することにより、設定対象となる照明装置11を認識できるように、設定用の無線信号を受信した照明装置11のみが蛍光ランプ12の点灯状態を変更する。アドレス情報等を設定する照明装置11のみが蛍光ランプ12の点灯状態を変更するように、設定器31からの無線信号の送信出力を調整し、設定対象の照明装置11を選択する。設定器31からアドレス情報等の無線信号を送信し、設定対象の照明装置11のみがアドレス情報等の無線信号を受信してアドレス情報等を設定する。  【選択図】図１
2006093098.tif 000002
【特許請求の範囲】
【請求項１】
設定器から設定用の信号を送信し、
設定器から送信された信号を受信した照明装置の光源の点灯状態を変更し、
所定情報を設定する照明装置を選択するために設定器からの信号の送信出力を調整し、
設定対象となる照明装置を認識できるようにし、
所定情報を設定する照明装置を選択した後に設定器から所定情報の信号を送信し、
設定器からの所定情報の信号を受信した設定対象の照明装置が所定情報を設定するとともに光源の点灯状態の変更を解除する
ことを特徴とする照明システムの設定方法。
【請求項２】
設定器から設定用の信号を送信し、
設定器から送信された信号を受信した照明装置の光源の点灯状態を変更し、
グループ化する照明装置を選択するために設定器からの信号の送信出力を調整し、
設定対象となる照明装置を認識できるようにし、
グループ化する照明装置を選択した後に設定器からグループ情報の信号を送信し、
設定器からのグループ情報の信号を受信した設定対象の照明装置がグループ情報を設定するとともに光源の点灯状態の変更を解除する
ことを特徴とする照明システムの設定方法。
【請求項３】
設定用の信号の受信にて設定対象となる照明装置を認識できるように所定情報の信号を受信して対応する情報を設定する照明装置に対して、信号を送信する送信部と；
所定情報を設定する照明装置を認識するために光源の点灯状態を変更するように設定器からの信号の送信出力を調整して設定対象となる照明装置を選択する入力部と；
照明装置の所定情報の設定時に、送信部から設定用の信号を送信させ、入力部で設定対象の照明装置が選択された後に所定情報の信号を送信させる設定側制御部と；
を具備していることを特徴とする設定器。
【請求項４】
光源を点灯させる点灯装置と；
設定器から送信される無線信号を受信する受信部と；
設定器からの設定用の無線信号を受信部で受信したときに設定対象となることを認識できるようにし、設定器からの所定情報の無線信号を受信部で受信したときに対応する情報を設定する照明側制御部と；
無線信号の波長の１／４以上で無線信号が外部から内部に伝播する隙間を有し、内部に点灯装置、受信部および照明側制御部が配置された器具本体と；
を具備していることを特徴とする照明装置。
【請求項５】
光源を点灯させる点灯装置と、信号を受信する受信部と、受信部で設定用の信号を受信して設定対象となることを認識できるように光源の点滅回数を任意に決定してその点滅回数だけ光源を点滅させ、受信部で該当する点滅回数に対応する信号とともに所定情報の信号を受信したときに所定情報を設定する照明側制御部とを有する照明装置と；
照明装置に信号を送信する送信部と、光源の点滅回数を入力する入力部と、所定設定時に送信部から設定用の信号を送信させ、入力部で入力された点滅回数に対応する信号とともに所定情報の信号を送信させる設定側制御部とを有する設定器と；
を具備していることを特徴とする照明システム。
【請求項６】
光源を点灯させる点灯装置と；
設定器に対して無線信号を送受信する照明側送受信部と；
設定器からの設定用の赤外線信号を受信する赤外線受信部と；
赤外線受信部で設定用の赤外線信号を受信したときに設定対象となって、照明側送受信部から応答する無線信号を送信し、照明側送受信部でアドレス情報の無線信号を受信してアドレス情報を設定する照明側制御部と；
を具備していることを特徴とする照明装置。
【請求項７】
請求項６記載の照明装置と；
無線信号を送受信する設定側送受信部、照明装置へ向けて設定用の赤外線信号を送信する赤外線送信部、設定側送受信部で照明装置から応答信号を受信してアドレス情報の信号を送信させる設定側制御部を有する設定器と；
を具備していることを特徴とする照明システム。
【請求項８】
設定器に対して無線信号を送受信する照明側送受信部と；
照明側送受信部で設定用の信号を受信したときに設定用の信号の受信強度を検知し、照明側送受信部から受信強度データおよび予め設定されている暫定アドレス情報の無線信号を送信し、照明側送受信部で該当する暫定アドレス情報とともに新たなアドレス情報の無線信号を受信して新たなアドレス情報を設定する照明側制御部と；
を具備していることを特徴とする照明装置。
【請求項９】
請求項８記載の照明装置と；
無線信号を送受信する設定側送受信部、設定側送受信部で設定用の無線信号を送信させるとともに照明装置からの暫定アドレス情報とともに受信強度データの無線信号を受信し、受信強度に基づいて特定した暫定アドレス情報とともに新たなアドレス情報の無線信号を設定側送受信部から送信させる設定側制御部を有する設定器と；
を具備していることを特徴とする照明システム。
【発明の詳細な説明】
【技術分野】
【０００１】
本発明は、照明システムを設定する設定方法、照明装置を設定する設定器、設定可能な照明装置、および設定器および照明装置を用いた照明システムに関する。
【背景技術】
【０００２】
従来、例えばオフィスビルなどでは、各フロアや各エリアに設置される複数の照明装置を有線または無線で遠隔操作する照明システムが採用されている。この照明システムでは、照明装置毎に制御するための固有のアドレス情報や複数の照明装置を１つのグループとして一括制御するグループ情報が設定されており、制御盤から遠隔操作する各照明装置に対してアドレス情報やグループ情報とともに制御信号を送信することにより、各照明装置では該当するアドレス情報やグループ情報の制御信号を受信して点灯状態を制御している。
【０００３】
各照明装置にアドレス情報やグループ情報を設定するには、照明装置の出荷時において、照明装置の照明側制御部に接続された設定用スイッチでアドレス情報やグループ情報を設定したり、設定器を接続して照明側制御部のメモリにアドレス情報やグループ情報を書き込んでいる。
【０００４】
また、複数の照明装置の設置後にアドレス情報を自動割付する構成もある。これは、照明空間に複数の照明装置を設置するとともに照明空間の中央に撮像手段を有する親機を設置してこれらを有線接続し、照明装置の設置後の電源投入時に各照明装置で乱数を発生させてその乱数を親機に送信し、親機は、受信した乱数から照明装置毎に仮アドレスを決定してその仮アドレスを各照明装置に送信し、仮アドレスを用いて各照明装置を順次点滅させるとともに撮像手段で照明空間における位置を特定し、位置を特定した照明装置に正規のアドレス情報を送信して更新させ、自動割付している（例えば、特許文献１参照。）。
【０００５】
また、設定器からの無線信号で任意の照明装置のアドレス情報を設定する場合に、設定器から初期の送信出力で設定用の無線信号を送信し、この設定用の無線信号を受信した照明装置からの応答信号を設定器で受信し、このとき、設定しようとする１台の照明装置以外からも応答信号を受信した場合には、信号の送信出力を減少させて無線信号を送信して照明装置からの応答信号の受信を確認し、最終的に設定しようとする１台の照明装置からの応答信号のみを受信するように絞り込み、絞り込んだ１台の照明装置にアドレス情報を設定している（例えば、特許文献２参照。）。
【０００６】
また、設定器に対して有線接続されている複数の照明装置のアドレス情報を設定する場合に、アドレス情報を設定する照明装置の光源を点滅や調光点灯して視覚的に知らせるようにしたものがあるが、設定器に対して有線接続されている複数の照明装置のアドレス情報を順次設定している（例えば、特許文献３参照。）。
【特許文献１】特開２００２−２８９３７３号公報（第５−６頁、図１−５）
【特許文献２】特表平１１−５１４８２９号公報（第１７頁、図２−３）
【特許文献３】特開２００４−６３２２８号公報（第１５−１６頁、図１）
【発明の開示】
【発明が解決しようとする課題】
【０００７】
しかしながら、照明装置の出荷時にアドレス情報やグループ情報を予め設定する場合には、照明装置とアドレス情報やグループ情報との対応関係を管理する必要があるが、照明装置の設置後の照明システム設定時において、照明装置のアドレスやグループ情報が不明になることがあり、このときには照明装置のアドレスやグループ情報を設定しなおす必要がある。また、照明装置の出荷時にアドレスやグループ情報を設定せず、照明装置の設置時にアドレス情報やグループ情報を設定する場合でも、照明装置の設置後の照明システム設定時において、照明装置のアドレス情報やグループ情報が不明になることがある。そして、照明装置の設置後にアドレス情報やグループ情報を設定しなおすには、照明装置を設置面から取り外し、照明側制御部の設定用スイッチでアドレス情報やグループ情報を設定したり、設定器を接続して照明側制御部のメモリにアドレス情報やグループ情報を書き込む必要があり、アドレス情報やグループ情報を簡単に設定できない問題がある。
【０００８】
また、設置後の照明装置にアドレス情報を自動割付する場合には、撮像手段で撮像可能とする比較的狭い照明空間の範囲内に設置される照明装置に限られ、照明空間に柱や仕切りなどの障害物がある場合には適切にアドレス情報を設定できず、さらに、有線接続されている複数の照明器具のアドレス情報を順次設定していくものであるため、設定作業者により任意の照明装置のアドレス情報を設定できない問題がある。
【０００９】
また、設定器からの無線信号で任意の照明装置のアドレス情報を設定する場合に、設定器からの信号の送信出力を減少させることにより、設定しようとする１台の照明装置とのみ通信するように絞り込み、絞り込んだ１台の照明装置にアドレス情報を設定するが、設定器からの無線信号を受信している照明装置や設定しようとする照明装置を設定作業者が特定できない問題がある。
【００１０】
また、設定器に対して有線接続されている複数の照明装置のアドレス情報を設定する場合に、アドレス情報を設定する照明装置の光源を点滅や調光点灯して視覚的に知らせるようにしているが、設定器に対して有線接続されている複数の照明装置のアドレス情報を順次設定していくものであるため、設定作業者により任意の照明装置のアドレス情報を設定することができない問題がある。
【００１１】
本発明は、このような点に鑑みなされたもので、複数の照明装置が設置されていても、任意の照明装置を特定してアドレス情報やグループ情報などの情報を容易に設定できる照明システムの設定方法、設定器、照明装置および照明システムを提供することを目的とする。
【課題を解決するための手段】
【００１２】
請求項１記載の照明システムの設定方法は、設定器から設定用の信号を送信し、設定器から送信された信号を受信した照明装置の光源の点灯状態を変更し、所定情報を設定する照明装置を選択するために設定器からの信号の送信出力を調整し、設定対象となる照明装置を認識できるようにし、所定情報を設定する照明装置を選択した後に設定器から所定情報の信号を送信し、設定器からの所定情報の信号を受信した設定対象の照明装置が所定情報を設定するとともに光源の点灯状態の変更を解除するものである。
【００１３】
照明システムは、各照明装置に設定された固有のアドレス情報を用いて、各照明装置の点灯状態を制御する。
【００１４】
所定情報は、アドレス情報を含んで構成され、グループ情報、初期調光信号情報などを含むことができる。
【００１５】
照明装置は、天井などに設置され、光源、この光源の点灯状態を制御する点灯装置、設定器からの信号を受信する受信部などを備えている。光源は、蛍光ランプ、放電ランプ、白熱ランプなどが含まれる。光源の点灯状態は、点滅、調光点灯、あるいは消灯などが含まれ、視覚的に変更したことが確認できるものであればよい。
【００１６】
設定器は、照明装置が設置された任意の場所に移動可能とし、信号を送信する送信部、送信出力を調整する入力部などを備えている。送信出力を調整するとは、送信出力強度を低くしたり高くすることをいう。
【００１７】
信号は、電波や赤外線を含む光などを媒体とする無線信号などが用いられる。
【００１８】
請求項２記載の照明システムの設定方法は、設定器から設定用の信号を送信し、設定器から送信された信号を受信した照明装置の光源の点灯状態を変更し、グループ化する照明装置を選択するために設定器からの信号の送信出力を調整し、設定対象となる照明装置を認識できるようにし、グループ化する照明装置を選択した後に設定器からグループ情報の信号を送信し、設定器からのグループ情報の信号を受信した設定対象の照明装置がグループ情報を設定するとともに光源の点灯状態の変更を解除するものである。
【００１９】
照明システムは、各照明装置に設定された固有のグループ情報を用いて、グループ内の照明装置の点灯状態を一括制御する。
【００２０】
請求項３記載の設定器は、設定用の信号の受信にて設定対象となる照明装置を認識できるように所定情報の信号を受信して対応する情報を設定する照明装置に対して、信号を送信する送信部と；所定情報を設定する照明装置を認識するために光源の点灯状態を変更するように設定器からの信号の送信出力を調整して設定対象となる照明装置を選択する入力部と；照明装置の所定情報の設定時に、送信部から設定用の信号を送信させ、入力部で設定対象の照明装置が選択された後に所定情報の信号を送信させる設定側制御部と；を具備しているものである。
【００２１】
請求項４記載の照明装置は、光源を点灯させる点灯装置と；設定器から送信される無線信号を受信する受信部と；設定器からの設定用の無線信号を受信部で受信したときに設定対象となることを認識できるようにし、設定器からの所定情報の無線信号を受信部で受信したときに対応する情報を設定する照明側制御部と；無線信号の波長の１／４以上で無線信号が外部から内部に伝播する隙間を有し、内部に点灯装置、受信部および照明側制御部が配置された器具本体と；を具備しているものである。
【００２２】
器具本体の隙間が無線信号の波長の１／４以下であると、無線信号が器具本体の内部に伝播しにくく、器具本体の内部に配置した受信部で設定器からの無線信号を受信しにくくなる。なお、光源が放電ランプで、この放電ランプを高周波点灯させる場合、器具本体の隙間は、放電ランプの点灯周波数の波長の１／４以下とし、放電ランプの点灯時に発生する電磁波が隙間から器具本体の内部に伝播しにくくし、電磁波による点灯装置への影響を低減することができる。
【００２３】
請求項５記載の照明システムは、光源を点灯させる点灯装置と、信号を受信する受信部と、受信部で設定用の信号を受信して設定対象となることを認識できるように光源の点滅回数を任意に決定してその点滅回数だけ光源を点滅させ、受信部で該当する点滅回数に対応する信号とともに所定情報の信号を受信したときに所定情報を設定する照明側制御部とを有する照明装置と；照明装置に信号を送信する送信部と、光源の点滅回数を入力する入力部と、所定設定時に送信部から設定用の信号を送信させ、入力部で入力された点滅回数に対応する信号とともに所定情報の信号を送信させる設定側制御部とを有する設定器と；を具備しているものである。
【００２４】
光源の点滅回数を任意に決定するとは、照明側制御部で乱数を発生させてこの乱数に応じた光源の点滅回数を決定することを含む。
【００２５】
請求項６記載の照明装置は、光源を点灯させる点灯装置と；設定器に対して無線信号を送受信する照明側送受信部と；設定器からの設定用の赤外線信号を受信する赤外線受信部と；赤外線受信部で設定用の赤外線信号を受信したときに設定対象となって、照明側送受信部から応答する無線信号を送信し、照明側送受信部でアドレス情報の無線信号を受信してアドレス情報を設定する照明側制御部と；を具備しているものである。
【００２６】
無線信号は、電波などを媒体とする。赤外線信号は、特定の照明装置でのみ受信するように指向性を有する。
【００２７】
請求項７記載の照明システムは、請求項６記載の照明装置と；無線信号を送受信する設定側送受信部、照明装置へ向けて設定用の赤外線信号を送信する赤外線送信部、設定側送受信部で照明装置から応答信号を受信してアドレス情報の信号を送信させる設定側制御部を有する設定器と；を具備しているものである。
【００２８】
請求項８記載の照明装置は、設定器に対して無線信号を送受信する照明側送受信部と；照明側送受信部で設定用の信号を受信したときに設定用の信号の受信強度を検知し、照明側送受信部から受信強度データおよび予め設定されている暫定アドレス情報の無線信号を送信し、照明側送受信部で該当する暫定アドレス情報とともに新たなアドレス情報の無線信号を受信して新たなアドレス情報を設定する照明側制御部と；を具備しているものである。
【００２９】
無線信号は、電波などを媒体とする。
【００３０】
暫定アドレス情報は、照明側制御部にハード的に書き込まれている固有のアドレス情報をいう。
【００３１】
請求項９記載の照明システムは、請求項８記載の照明装置と；無線信号を送受信する設定側送受信部、設定側送受信部で設定用の無線信号を送信させるとともに照明装置からの暫定アドレス情報とともに受信強度データの無線信号を受信し、受信強度に基づいて特定した暫定アドレス情報とともに新たなアドレス情報の無線信号を設定側送受信部から送信させる設定側制御部を有する設定器と；を具備しているものである。
【００３２】
受信強度に基づいて特定した暫定アドレス情報とは、最も受信強度が高く、設定器から最も近い位置に位置する照明装置の暫定アドレス情報をいう。
【発明の効果】
【００３３】
請求項１記載の照明システムの設定方法によれば、設定器からの信号の送信出力を調整し、設定器から送信する設定用の信号を受信して設定対象となる照明装置を光源の点灯状態を変更すること等により認識できるようにし、設定作業者が照明装置の光源の点灯状態を目視しながら、設定対象となる照明装置を容易に選択できるため、複数の照明装置が設置されていても、任意の照明装置を特定して所定情報を容易に設定できる。
【００３４】
請求項２記載の照明システムの設定方法によれば、設定器からの信号の送信出力を調整し、設定器から送信する設定用の信号を受信して設定対象となる照明装置を光源の点灯状態を変更すること等により認識できるようにし、設定作業者が照明装置の光源の点灯状態を目視しながら、設定対象となる照明装置を容易に選択できるため、複数の照明装置が設置されていても、任意の照明装置を特定してグループ情報を容易に設定できる。
【００３５】
請求項３記載の設定器によれば、設定器からの信号の送信出力を調整し、設定器から送信する設定用の信号を受信して設定対象となった照明装置が光源の点灯状態を変更すること等により認識できるようにし、設定作業者が照明装置の光源の点灯状態を目視しながら、設定対象となる照明装置を容易に選択できるため、複数の照明装置が設置されていても、任意の照明装置を特定して所定情報を容易に設定できる。
【００３６】
請求項４記載の照明装置によれば、設定器から送信する設定用の無線信号を受信部で受信して設定対象となった照明装置が光源の点灯状態を変更すること等により認識できるようにし、設定作業者が照明装置の光源の点灯状態を目視しながら、所定情報を設定する照明装置のみが光源の点灯状態を変更するように、設定器で設定対象となる照明装置を容易に選択できるため、複数の照明装置が設置されていても、任意の照明装置を特定して所定情報を容易に設定できる。また、器具本体には無線信号が器具本体の外部から内部に伝播する隙間を設けるため、器具本体の内部に受信部を配置することができる。
【００３７】
請求項５記載の照明システムによれば、設定器から送信する設定用の信号を受信して設定対象となった照明装置が光源の点滅回数を任意に決定してその点滅回数だけ光源を点滅して認識できるようにするので、光源の点滅回数から照明装置を特定でき、複数の照明装置が設置されていても、設定器に点滅回数を入力することにより、任意の照明装置を特定して所定情報を容易に設定できる。
【００３８】
請求項６記載の照明装置によれば、設定器から送信する指向性の強い設定用の赤外線信号を受信したときに設定対象となって、応答の無線信号を設定器に送信するとともに設定器からのアドレス信号の無線信号を受信してアドレス情報を設定できるため、複数の照明装置が設置されていても、任意の照明装置を特定してアドレス情報を容易に設定できる。
【００３９】
請求項７記載の照明システムによれば、請求項６記載の照明装置を用い、設定器から指向性の強い赤外線信号を特定の照明装置へ向けて送信することにより、その特定の照明装置だけが赤外線信号を受信して設定対象となるとともに応答の無線信号を送信し、設定器が応答の無線信号を受信してアドレス信号の無線信号を送信し、設定対象となっている照明装置だけがアドレス情報を受信してアドレス情報を設定できるため、複数の照明装置が設置されていても、任意の照明装置を特定してアドレス情報を容易に設定できる。
【００４０】
請求項８記載の照明装置によれば、設定器から送信する設定用の無線信号を受信したときに設定用の無線信号の受信強度を検知し、この受信強度データおよび予め設定されている暫定アドレス情報の無線信号を設定器に送信し、設定器からの該当する暫定アドレス情報とともに新たなアドレス情報の無線信号を受信して新たなアドレス情報を設定するため、複数の照明装置が設置されていても、任意の照明装置を特定してアドレス情報を容易に設定できる。
【００４１】
請求項９記載の照明システムによれば、請求項８記載の照明装置を用い、設定器から設定用の無線信号を送信することにより、この設定用の無線信号を受信した照明装置が設定用の無線信号の受信強度を検知し、この受信強度データおよび予め設定されている暫定アドレス情報の無線信号を設定器に送信し、設定器が照明装置からの暫定アドレス情報とともに受信強度データの無線信号を受信して受信強度に基づいて特定した暫定アドレス情報とともに新たなアドレス情報の無線信号を送信し、照明装置が該当する暫定アドレス情報とともに新たなアドレス情報の無線信号を受信して新たなアドレス情報を設定することができ、複数の照明装置が設置されていても、任意の照明装置を特定してアドレス情報を容易に設定できる。
【発明を実施するための最良の形態】
【００４２】
以下、本発明の一実施の形態を図面を参照して説明する。
【００４３】
図１ないし図９に第１の実施の形態を示し、図１は照明システムの構成図、図２は照明システムの照明装置のアドレス情報やグループ情報の設定方法を示す説明図、図３は照明システムの照明装置の概略断面図、図４は照明システムの照明装置を平面方向から示したアドレス設定を説明する説明図、図５は照明システムの照明装置を平面方向から示したグループ設定を説明する説明図、図６は照明システムのグループ設定を示すシーケンス図、図７は照明システムの照明装置のグループ設定における除外対象の照明装置の特定方法を(a)〜(c)に平面方向から示す説明図、図８は照明システムのグループ設定におけるグループからの除外を示すシーケンス図、図９は照明システムのグループ設定におけるグループへの追加を示すシーケンス図である。
【００４４】
図２に示すように、照明システムは、例えば、オフィスビルなどの各フロアや各エリアの天井に設置される複数の照明装置11を集中制御するもので、各照明装置11には固有のアドレス情報やグループ情報が設定されており、集中制御を行う図示しない主制御装置から各照明装置11に対してアドレス情報やグループ情報に対応付けて制御信号を送信することにより、各照明装置11は該当するアドレス情報やグループ情報の制御信号を受信して点灯状態を制御するように構成されている。
【００４５】
図１に示すように、各照明装置11は、光源としての蛍光ランプ12、この蛍光ランプ12を調光点灯可能な例えばインバータ回路を用いた高周波点灯装置などの点灯装置13、例えば電波などの媒体を利用して無線信号を送受信する受信部としての照明側送受信部14、無線信号を送受信するアンテナ15、照明側送受信部14を通じて主制御装置などと通信して点灯装置13を制御する照明側制御部16を備えている。この他、図示しないが、設定確認や動作確認のためのブザーなどの確認音を発生する音発生手段や、照明空間の明るさを検知するセンサを備えていている。
【００４６】
照明側制御部16は、アドレス情報やグループ情報を記憶するメモリを有しており、出荷時には照明側制御部16のハードウェア上に書き込まれているハードウェア固有のアドレス情報を備えているが、照明システムとして制御するためのソフトウェア上でのアドレス情報やグループ情報は設定されておらず、照明装置11の設置後にそのアドレス情報やグループ情報が設定される。なお、照明側制御部16は、アドレス情報やグループ情報が設定されていない場合でも、主制御装置からの特定の制御信号を受信して蛍光ランプ12を点灯させるフェールセーフ機能を有している。
【００４７】
そして、照明側制御部16は、アドレス情報やグループ情報が未設定の場合に照明側送受信部14で設定用の無線信号を受信したとき、設定対象となる設定モードに切り換わるとともに、点灯または消灯の状態にあった蛍光ランプ12を点滅させたり、１００％点灯にあった蛍光ランプ12を５０％点灯に調光するなどの点灯状態を変更する機能、設定対象にあって照明側送受信部14でアドレス情報やグループ情報の無線信号を受信したとき、自己のアドレス情報やグループ情報として設定し、設定対象となる設定モードを解除するとともに、蛍光ランプ12の点灯状態の変更を解除して点滅から点灯または消灯に戻したり、５０％点灯から１００％点灯に戻す機能、アドレス情報やグループ情報の設定後は照明側送受信部14で設定用の無線信号、アドレス情報やグループ情報の無線信号を受信しても反応せず、特定の設定解除用の無線信号により設定を解除する機能を有している。また、アドレス情報やグループ情報の設定後は、該当するアドレス情報やグループ情報に対応付けした制御信号を受信して点灯状態を制御する機能などを有している。
【００４８】
図３に示すように、照明装置11は、システム天井21に設置される天井埋込形であり、システム天井21に支持される器具本体22、この器具本体22に取り付けられた反射体23、この反射体23内に配置される蛍光ランプ12、この蛍光ランプ12を電気的および機械的に接続するソケット24などを有している。器具本体22の内部に、点灯装置13、照明側送受信部14および照明側制御部16が配置されている。
【００４９】
器具本体22には、無線信号の波長の１／４以上でかつ蛍光ランプ12の点灯周波数の波長の１／４以下の無線信号が器具本体22の内外に伝播する図示しない隙間が形成されている。この隙間は、器具本体22と反射体23との接合部分や器具本体22自体に形成することができる。そして、器具本体22の隙間が無線信号の波長の１／４以下であると、無線信号が器具本体22の内外に伝播しにくく、器具本体22の内部に配置した照明側送受信部14で無線信号の送受信がしにくくなり、また、蛍光ランプ12の点灯周波数の波長の１／４以上であると、蛍光ランプ12の点灯時に発生する電磁波が隙間から器具本体22の内部に伝播しやすく、電磁波による点灯装置13への影響が生じやすくなる。
【００５０】
また、図１に示すように、各照明装置11のアドレス情報やグループ情報を設定するために設定器31が用いられる。この設定器31は、図示しないバッテリーを電源とした携帯型や運搬型に構成され、照明装置11が設置された場所に移動して照明装置11のアドレス情報やグループ情報を設定可能としている。
【００５１】
設定器31は、例えば液晶表示器などを用いて各種の設定事項を表示する表示部32、キーなどを用いて各種の設定事項を入力する入力部33、電波などの媒体を利用して照明装置11との間で無線信号を送受信する送信部としての設定側送受信部34、無線信号を送受信するアンテナ35、設定側送受信部34を通じて照明装置11と通信してアドレス情報やグループ情報を設定する設定側制御部36を備えている。設定側送受信部34は、送信する信号の送信出力つまり送信出力強度を任意に調整可能としている。
【００５２】
そして、設定側制御部36は、アドレス情報やグループ情報を設定する照明装置11のみが蛍光ランプ12の点灯状態を変更するように入力部33からの入力で設定側送受信部34から送信する無線信号の送信出力を任意に調整する機能、調整された送信出力の値を次に調整されるまで保持する機能、調整された送信出力で設定側送受信部34から設定用の無線信号、アドレス情報やグループ情報の無線信号を含む無線信号を送信させる機能などを有している。
【００５３】
次に、照明システムにおける照明装置11のアドレス情報やグループ情報の設定動作について説明する。
【００５４】
まず、アドレス情報の設定動作について図４を参照して説明する。
【００５５】
設定作業者により、アドレス情報を設定する１つの照明装置11に最も近い位置に設定器31を配置し、設定器31の入力部33にてアドレス情報の設定開始を操作する。これにより、設定器31から、アドレス情報の設定開始の無線信号を送信する。
【００５６】
設定器31からのアドレス情報の設定開始の無線信号を受信したアドレス情報が未設定の照明装置11は、制御対象のモードとなって、点灯または消灯の状態にあった蛍光ランプ12を点滅させたり、例えば１００％点灯にあった蛍光ランプ12を例えば５０％点灯に調光するなど、蛍光ランプ12の点灯状態を変更する。なお、図４には無線信号が届く範囲a1や範囲a2を示す。
【００５７】
そのため、設定作業者は、設定対象の照明装置11のみが蛍光ランプ12の点灯状態を変更しているかどうかを視覚的に確認できる。
【００５８】
例えば図４の範囲a2に示すように設定開始用の無線信号が届く範囲が広く、設定対象の照明装置11以外の照明装置11の蛍光ランプ12の点灯状態も変更している場合には、設定器31から設定中止の無線信号を送信して設定対象になっていた照明装置11を設定前の状態に戻した後、設定器31からの無線信号の送信出力を低くするように入力部33で調整し、調整した送信出力で設定器31から設定開始用の無線信号を再度送信し、照明装置11の蛍光ランプ12の点灯状態の変更を確認する。また、設定対象の照明装置11も含めて蛍光ランプ12の点灯状態が変更しない場合には、設定器31からの無線信号の送信出力を高くするように入力部33で調整し、調整した送信出力で設定器31から設定開始用の無線信号を再度送信し、照明装置11の蛍光ランプ12の点灯状態の変更を確認する。
【００５９】
このようにして、照明装置11の蛍光ランプ12の点灯状態を確認しながら、設定対象の照明装置11の蛍光ランプ12のみが点灯状態を変更するように設定器31からの無線信号の送信出力を調整する。
【００６０】
設定器31からの無線信号の送信出力を調整によって無線信号が届く範囲a1が適切になり、設定作業者により、設定対象の照明装置11の蛍光ランプ12のみが点灯状態を変更したことを確認できれば、設定器31の入力部33にて設定確定を操作する。これにより、設定器31から、照明装置11に設定するアドレス情報の無線信号を送信する。
【００６１】
設定対象の照明装置11でアドレス情報の無線信号を受信することにより、自己の照明装置11のアドレス情報として照明側制御部16のメモリに設定登録し、アドレス情報を設定したことを示す設定応答の無線信号を設定器31に返信する。アドレス情報の設定を完了した照明装置11は、設定対象のモードを解除するとともに、蛍光ランプ12の点灯状態の変更を解除して設定開始前の状態に戻し、以降のアドレス情報に関する無線信号を受信しても反応しなくなる。
【００６２】
続いて、次の設定対象の照明装置11のアドレス情報を設定する場合には、設定器31を次の設定対象の照明装置11に最も近い位置に移動し、同様に設定作業する。このとき、設定器31からの無線信号の送信出力は、調整された送信出力の値を次に調整されるまで保持しているため、例えば照明装置11が略一定間隔で設置されている場合には、設定器31からの無線信号の送信出力をその都度調整することなく、アドレス情報を容易に設定できる。
【００６３】
このように、設定器31から送信する設定用の無線信号を受信して設定対象となった照明装置11が蛍光ランプ12の点灯状態を変更することにより、設定作業者が照明装置11の蛍光ランプ12の点灯状態を目視しながら、アドレス情報を設定する照明装置11のみが蛍光ランプ12の点灯状態を変更するように、設定器31からの無線信号の送信出力を調整して設定対象となる照明装置11を容易に選択できるため、複数の照明装置11が設置されていても、任意の照明装置11を特定してアドレス情報を容易に設定できる。
【００６４】
次に、グループ情報の設定動作について図５および図６を参照して説明する。
【００６５】
設定作業者により、壁スイッチなどをオンして全ての照明装置11を１００％点灯させておき、一定の範囲内に位置していて同じグループに設定する例えば３つの照明装置11に最も近い位置に設定器31を配置し、設定器31の入力部33にて設定開始を操作する。これにより、設定器31から、設定開始の無線信号をブロードキャスト送信する。
【００６６】
設定器31からの設定開始の無線信号を受信した照明装置11は、設定対象のモードとなり、照明側制御部16のハードウェア上の固有のアドレス情報とシステム識別用の文字列データとを設定器31に返信し、蛍光ランプ12を５０％点灯の点灯状態に変更する。なお、図５には無線信号が届く範囲b1や範囲b2を示す。
【００６７】
照明装置11から返信してくるアドレス情報とシステム識別用の文字列データとを受信した設定器31では、そのアドレス情報からデータベースを作成し、表示部32で表示する。
【００６８】
設定作業者は、設定対象の３つの照明装置11のみが蛍光ランプ12が５０％点灯の点灯状態に変更しているかどうかを視覚的に確認できる。
【００６９】
例えば図５の範囲b2に示すように設定開始の無線信号が届く範囲が広く、設定対象の３つの照明装置11以外の照明装置11も蛍光ランプ12が５０％点灯の点灯状態に変更している場合には、設定器31から設定中止の無線信号をブロードキャスト送信して設定対象のモードになっていた照明装置11を設定前の状態に戻した後、設定器31からの無線信号の送信出力を低くするように入力部33で調整し、調整した送信出力で設定器31から設定開始用の無線信号を再度送信し、照明装置11の蛍光ランプ12の点灯状態の変更を確認する。また、設定対象の３つの照明装置11のうちのいずれも、あるいはいずれか１つまたは２つしか蛍光ランプ12の点灯状態が変更しない場合には、設定器31からの無線信号の送信出力を高くするように入力部33で調整し、調整した送信出力で設定器31から設定開始用の無線信号を再度送信し、照明装置11の蛍光ランプ12の点灯状態の変更を確認する。
【００７０】
このようにして、照明装置11の蛍光ランプ12の点灯状態を確認しながら、設定対象の３つの照明装置11の蛍光ランプ12のみが点灯状態を変更するように設定器31の送信出力を調整する。
【００７１】
設定器31からの無線信号の送信出力を調整によって無線信号が届く範囲b1が適切になり、設定作業者により、設定対象の３つの照明装置11の蛍光ランプ12のみが点灯状態を変更したことを確認できれば、設定器31の入力部33にて設定確定を操作する。これにより、設定器31から、設定対象の各照明装置11の固有のハードウェア上のアドレス情報に対応付けてグループ番号などのグループ情報の無線信号を順次送信する。
【００７２】
各設定対象の照明装置11では、該当するハードウェア上のアドレス情報に対応付けられたグループ情報の無線信号を受信することにより、自己の照明装置11のグループ情報として照明側制御部16のメモリに設定登録し、グループ情報を設定したことを設定器31に返信する。グループ情報の設定を完了した照明装置11は、設定対象のモードを解除するとともに、蛍光ランプ12の点灯状態の変更を解除して設定開始前の１００％点灯の状態に戻し、以降のグループ情報に関する無線信号を受信しても反応しなくなる。
【００７３】
続いて、次のグループの照明装置11のグループ情報を設定する場合には、設定器31を次の一定範囲に位置していて同じグループに設定する複数の照明装置11に最も近い位置に移動し、同様に設定作業する。このとき、設定器31からの無線信号の送信出力は、調整された送信出力の値を次に調整されるまで保持しているため、例えばグループ化する複数の照明装置11が略一定範囲に設置されている場合には、設定器31からの無線信号の送信出力を調整することなく、グループ信号を容易に設定できる。
【００７４】
このように、設定器31から送信する設定用の無線信号を受信して設定対象となった照明装置11が蛍光ランプ12の点灯状態を変更することにより、設定作業者が照明装置11の蛍光ランプ12の点灯状態を目視しながら、グループ化する照明装置11のみが蛍光ランプ12の点灯状態を変更するように、設定器31からの信号の送信出力を調整して設定対象となる照明装置11を容易に選択できるため、複数の照明装置11が設置されていても、任意の照明装置11を特定してグループ情報を容易に設定できる。
【００７５】
次に、グループ情報の設定動作中において、グループからの設定対象外の照明装置11の除外について、図７および図８を参照して説明する。
【００７６】
上述したように、設定対象の照明装置11のみが蛍光ランプ12の点灯状態を変更するように、設定器31からの無線信号の送信出力を調整して範囲を絞ったうえでも、設定対象外の照明装置11が含まれている場合などには、その設定対象外の照明装置11をグループから除外することができる。
【００７７】
ここでは、図８に示すように、照明装置11(1)〜(3)のうち、照明装置11(3)を除外するものとして説明する。
【００７８】
設定操作者が設定器31の入力部33にて選択変更を操作することにより、現在、設定対象となっている照明器具11(1)〜(3)のうち、ハードウェア上のアドレス情報が若い順などの順番で、１つの照明装置11(1)のハードウェア上のアドレス情報に対応付けて選択変更の無線信号を送信する。
【００７９】
該当するハードウェア上のアドレス情報に対応付けた選択変更の無線信号を受信した照明装置11(1)では、選択変更対象となり、設定対象前や設定対象となったときの蛍光ランプ12の点灯状態とは異なる点灯状態に変更するもので、例えば消灯する（図７(a)の状態）。
【００８０】
設定作業者は、蛍光ランプ12の消灯によって照明装置11(1)を特定することができる。ここでは照明装置11(1)は設定対象であるため、設定操作者が設定器31の入力部33で選択変更を再操作する。これにより、設定器31から、照明装置11(1)のハードウェア上のアドレス情報に関連付けて選択解除の無線信号、および次の順番の照明装置11(2)のハードウェア上のアドレス情報に対応付けて選択変更の無線信号を送信する。
【００８１】
該当するハードウェア上のアドレス情報に対応付けた選択解除の無線信号を受信した照明装置11(1)は、選択状態を解除し、蛍光ランプ12の点灯状態を５０％点灯に、つまり設定対象となっている点灯状態に戻す。また、該当するハードウェア上のアドレス情報に対応付けた選択変更の無線信号を受信した次の順番の照明装置11(2)では、選択対象となり、蛍光ランプ12を消灯する（図７(b)の状態）。
【００８２】
設定作業者は、蛍光ランプ12の消灯によって照明装置11(2)を特定することができる。ここでも、照明装置11(2)は設定対象であるため、設定操作者が設定器31の入力部33で選択変更を再操作する。これにより、設定器31から、照明装置11(2)のハードウェア上のアドレス情報に関連付けて選択解除の無線信号、および次の順番の照明装置11(3)のハードウェア上のアドレス情報に対応付けて選択変更の無線信号を送信する。
【００８３】
該当するハードウェア上のアドレス情報に対応付けた選択解除の無線信号を受信した照明装置11(2)は、選択状態を解除し、蛍光ランプ12の点灯状態を５０％点灯に、つまり設定対象となっている点灯状態に戻す。また、該当するハードウェア上のアドレス情報に対応付けた選択変更の無線信号を受信した次の順番の照明装置11(3)では、選択対象となり、蛍光ランプ12を消灯する（図７(c)の状態）。
【００８４】
設定作業者は、蛍光ランプ12の消灯によって照明装置11(3)を特定することができる。ここで、照明装置11(3)は設定対象外であるため、設定作業者が設定器31の入力部33で設定除外を操作する。これにより、設定器31は照明装置11(3)を設定リストから外して表示部32から削除するとともに、設定器31から照明装置11(3)のハードウェア上のアドレス情報に対応付けて設定除外の無線信号を送信する。
【００８５】
該当するハードウェア上のアドレス情報に対応付けた設定除外の無線信号を受信した照明装置11(3)は、選択状態を解除するとともに設定対象となる設定モードを解除し、蛍光ランプ12の点灯状態を設定対象となる前の１００％点灯に戻す。
【００８６】
そして、設定対象の照明装置11(1)(2)の蛍光ランプ12のみが点灯状態を変更していることを確認できれば、設定作業者による設定器31の入力部33の操作にて、設定対象の各照明装置11(1)(2)の固有のハードウェア上のアドレス情報に対応付けてグループ番号などのグループ情報の無線信号を順次送信する。
【００８７】
各設定対象の照明装置11(1)(2)では、該当するハードウェア上のアドレス情報に対応付けられたグループ情報の無線信号を受信することにより、自己の照明装置11(1)(2)のグループ情報として照明側制御部16のメモリに設定登録し、グループ情報を設定したことを設定器31に返信する。グループ情報の設定を完了した照明装置11(1)(2)は、設定対象となる設定モードを解除するとともに、蛍光ランプ12の点灯状態の変更を解除して設定開始前の１００％点灯の状態に戻し、以降のグループ情報に関する無線信号を受信しても反応しなくなる。
【００８８】
次に、グループ情報の設定動作において、グループへの未設定の照明装置11の追加について、図９を参照して説明する。
【００８９】
グループが未設定の照明装置11を、既に設定されているグループに追加することができる。なお、既に設定されているグループの情報は設定器11に登録されている。
【００９０】
ここでは、図９に示すように、照明装置11(1)〜(3)のうち、照明装置11(1)(2)がグループ設定済みで、照明装置11(3)がグループ未設定にあるものとして説明する。
【００９１】
設定作業者により、グループに追加しようとする照明装置11(3)に近い位置に設定器31を配置し、設定器31の入力部32にて追加開始を操作する。これにより、設定器31から、追加開始の無線信号を送信する。
【００９２】
設定器31からの追加開始の無線信号を受信したグループ未設定の照明装置11(3)は、追加設定対象のモードとなり、照明側制御部16のハードウェア上の固有のアドレス情報とシステム識別用の文字列データとを設定器31に返信し、蛍光ランプ12を５０％点灯の点灯状態に変更する。
【００９３】
照明装置11(3)から返信してくるアドレス情報とシステム識別用の文字列データとを受信した設定器31では、そのアドレス情報をデータベースに追加し、表示部32で表示する。
【００９４】
設定作業者により、追加設定対象の照明装置11(3)の蛍光ランプ12のみが点灯状態を変更したことを確認できれば、設定器31の入力部33にて追加確定を操作する。これにより、設定器31から、追加設定対象の照明装置11(3)の固有のハードウェア上のアドレス情報に対応付けて追加するグループ情報の無線信号を送信する。
【００９５】
追加設定対象の照明装置11(3)では、該当するハードウェア上のアドレス情報に対応付けられたグループ情報の無線信号を受信することにより、自己の照明装置11(3)のグループ情報として照明側制御部16のメモリに設定登録し、グループ情報を設定したことを設定器31に返信する。グループ情報の設定を完了した照明装置11(3)は、蛍光ランプ12の点灯状態の変更を解除して追加設定開始前の１００％点灯の状態に戻し、以降のグループ情報に関する無線信号を受信しても反応しなくなる。
【００９６】
次に、図１０は第２の実施の形態を示す照明システムの構成図である。
【００９７】
照明システムの基本構成は第１の実施の形態と同様であるが照明装置11および設定器31の機能の一部が相違している。
【００９８】
すなわち、照明装置11の照明側制御部16は、アドレス設定時において、照明側送受信部14で設定用の信号を受信したときに乱数を発生させてこの乱数に応じて蛍光ランプ12の点滅回数を任意に決定しその点滅回数だけ蛍光ランプ12を点滅させ、該当する点滅回数に対応する無線信号とともにアドレス情報の無線信号を受信して自己のアドレス情報として設定する機能、決定した点滅回数を次の設定用の無線信号を受信するまで保持する機能を有している。
【００９９】
設定器31の設定側制御部36は、アドレス設定時に、入力部33からの入力で点滅回数を受け付ける機能、設定側送受信部34から設定用の無線信号を送信させ、入力部33で入力された点滅回数に対応する無線信号とともにアドレス情報の無線信号を送信させる機能を有している。
【０１００】
そして、照明装置11のアドレス情報の設定動作について説明する。
【０１０１】
設定作業者は、設定器31を照明装置11が設置された場所に配置し、設定器31から設定用の無線信号を送信させ、複数の照明装置11の蛍光ランプ12の点滅を確認する。
【０１０２】
設定用の信号を受信した複数の照明装置11では、乱数を発生させてこの乱数に応じて蛍光ランプ12の点滅回数を任意に決定し、その点滅回数だけ蛍光ランプ12を点滅させる。
【０１０３】
設定作業者は各照明装置11の蛍光ランプ12の点滅回数を確認し、アドレス設定する１つの照明装置11を特定する点滅回数を設定器31の入力部33で入力し、この設定器31から点滅回数に対応する無線信号とともに照明装置11に設定するアドレス情報の無線信号を送信する。
【０１０４】
照明装置11は、該当する点滅回数に対応する無線信号とともにアドレス情報の無線信号を受信し、自己の照明装置11のアドレス情報として照明側制御部16のメモリに登録する。アドレス設定を完了した照明装置11は、設定用の無線信号などを受信しても反応しなくなる。
【０１０５】
続いて、別の照明装置11のアドレス情報を設定するには、同様に、アドレス設定する１つの照明装置11を特定する点滅回数を入力して設定する。
【０１０６】
照明装置11の点滅回数が分からない場合や、複数の照明装置11で点滅回数が同じ場合には、設定器31から設定用の無線信号を再度送信させ、照明装置11の蛍光ランプ12の点滅を確認し、アドレス設定を行う。
【０１０７】
このように、設定器31から送信する設定用の無線信号を受信した照明装置11が蛍光ランプ12の点滅回数を任意に決定しその点滅回数だけ蛍光ランプ12を点滅させるので、蛍光ランプ12の点滅回数から照明装置11を特定でき、照明装置11が複数設置されている場合でも、設定器31に点滅回数を入力することで特定の照明装置11に対してアドレス情報を容易に設定できる。
【０１０８】
次に、図１１は第３の実施の形態を示す照明システムの構成図である。
【０１０９】
照明システムの基本構成は第１の実施の形態と同様であるが照明装置11および設定器31の機能の一部が相違している。
【０１１０】
すなわち、照明装置11の照明側制御部16は、アドレス設定時において、照明側送受信部14で設定用の信号を受信したときに乱数を発生させてこの乱数に応じて蛍光ランプ12の点滅回数を任意に決定しその点滅回数だけ蛍光ランプ12を点滅させ、該当する点滅回数に対応する無線信号とともにアドレス情報の無線信号を受信して自己のアドレス情報に設定する機能、決定した点滅回数を次の設定用の無線信号を受信するまで保持する機能を有している。
【０１１１】
設定器31の設定側制御部36は、入力部33からの入力で設定側送受信部34から送信する無線信号の送信出力を任意に調整する機能、調整された送信出力の値を次に調整されるまで保持する機能、入力部33からの入力で点滅回数を受け付ける機能、調整した送信出力で設定側送受信部34から設定用の無線信号を送信させ、入力部33で入力された点滅回数に対応する無線信号とともにアドレス情報の無線信号を送信させる機能を有している。
【０１１２】
そして、照明装置11のアドレス情報の設定動作について説明する。
【０１１３】
設定作業者は、設定器31を照明装置11が設置された場所に配置し、アドレス情報を設定する複数であって例えば４つの照明装置11に最も近い位置で、設定器31から設定用の無線信号を送信させ、照明装置11の蛍光ランプ12の点滅を確認する。
【０１１４】
設定器31の無線信号の送信出力に応じた受信可能範囲に位置する照明装置11で設定用の無線信号を受信すれば、蛍光ランプ12を点滅させる。
【０１１５】
設定作業者は照明装置11の蛍光ランプ12の点滅を確認し、アドレス情報を設定する４つの照明装置11以外の照明装置11の蛍光ランプ12も点滅した場合には、設定器31からの無線信号の送信出力を低くするように入力部33で調整する。また、４つの照明装置11のうちいずれか１つでも蛍光ランプ12が点滅しない場合には、設定器31からの無線信号の送信出力を高くするように入力部33で調整する。そして、調整した送信出力で設定器31から設定用の無線信号を再度送信する。
【０１１６】
このようにして、４つの照明装置11の蛍光ランプ12の点滅を確認しながら、４つの照明装置11の蛍光ランプ12のみが点滅するように設定器31からの無線信号の送信出力を調整する。
【０１１７】
また、設定用の無線信号を受信した４つの照明装置11では、乱数を発生させてこの乱数に応じて蛍光ランプ12の点滅回数を任意に決定し、その点滅回数だけ蛍光ランプ12を点滅させる。
【０１１８】
設定作業者は４つの照明装置11の蛍光ランプ12の点滅回数を確認し、アドレス設定する１つの照明装置11を特定する点滅回数を設定器31の入力部33で入力し、この設定器31から点滅回数に対応する無線信号とともに照明装置11に設定するアドレス情報の無線信号を送信する。
【０１１９】
照明装置11は、該当する点滅回数に対応する無線信号とともにアドレス情報の無線信号を受信し、自己の照明装置11のアドレス情報として照明側制御部16のメモリに登録する。アドレス設定を完了した照明装置11は、設定用の無線信号などを受信しても反応しなくなる。
【０１２０】
続いて、別の照明装置11のアドレス情報を設定するには、同様に、アドレス設定する１つの照明装置11を特定する点滅回数を入力して設定する。
【０１２１】
照明装置11の点滅回数が分からない場合や、複数の照明装置11で点滅回数が同じ場合には、設定器31から設定用の無線信号を再度送信させ、照明装置11の蛍光ランプ12の点滅を確認し、アドレス設定を行う。
【０１２２】
このように、設定器31から送信する設定用の無線信号を受信した照明装置11が蛍光ランプ12を点滅させることにより、設定器31から送信する無線信号の受信可能範囲の照明装置11を確認でき、そのため、設定器31から送信する無線信号を特定の受信可能範囲の照明装置11のみで受信可能な送信出力に調整することにより、照明装置11が複数設置されている場合でも、特定の受信可能範囲の照明装置11を選択でき、さらに、設定器31から送信する設定用の無線信号を受信した特定の受信可能範囲の照明装置11が蛍光ランプ12の点滅回数を任意に決定しその点滅回数だけ蛍光ランプ12を点滅させるので、蛍光ランプ12の点滅回数から照明装置11を特定でき、設定器31に点滅回数を入力することで特定の照明装置11に対してアドレス情報を容易に設定できる。
【０１２３】
次に、図１２は第４の実施の形態を示す照明システムの構成図である。
【０１２４】
照明システムの基本構成は第１の実施の形態と同様であり、さらに、照明装置11は、赤外線受光部41およびこの赤外線受光部41で受光した赤外線信号を受信する赤外線受信部42を備え、また、設定器31は、赤外線発光部43およびこの赤外線発光部43から照明装置11へ向けて赤外線信号を送信する赤外線送信部44を備えている。
【０１２５】
照明側制御部16は、赤外線受信部42で赤外線信号を受信して設定状態となり、照明側送受信部14から応答する無線信号を送信するとともに、アドレス情報の無線信号を受信して自己のアドレス情報に設定する機能、アドレス設定後は設定状態を解除してアドレス情報の無線信号を受け付けなくなる機能を有している。
【０１２６】
設定側制御部36は、アドレス設定時に赤外線送信部44から赤外線信号を送信させる機能、設定側送受信部34で照明装置11から応答する無線信号を受信してアドレス情報の無線信号を送信させる機能を有している。
【０１２７】
そして、照明装置11のアドレスの設定動作について説明する。
【０１２８】
設定作業者は、設定器31を照明装置11が設置された場所に配置し、アドレス情報を設定する例えば１つの照明装置11へ向けて設定器31から赤外線信号を送信させる。このとき、設定器31から送信する赤外線信号は指向性が強いので、設定器31の赤外線発光部43を向けた照明装置11のみが赤外線信号を受信するように送信できる。
【０１２９】
赤外線信号を受信した照明装置11では、アドレス情報の設定状態つまりアドレス設定モードとなり、照明側送受信部14から応答する無線信号を送信する。
【０１３０】
設定器31は照明装置11から応答する無線信号を受信し、照明装置11に設定するアドレス情報の無線信号を送信する。
【０１３１】
アドレス設定モードにある照明装置11のみが、設定器31から送信されたアドレス情報の無線信号を受信し、自己の照明装置11のアドレス情報として照明側制御部16のメモリに登録する。アドレス設定を完了した照明装置11は、アドレス設定モードを解除し、アドレス情報の無線信号を受け付けなくなる。
【０１３２】
続いて、別の照明装置11のアドレス情報を設定するには、同様に、アドレス設定する１つの照明装置11へ向けて赤外線信号を送信し、その照明装置11をアドレス設定モードにしてアドレス情報を設定する。
【０１３３】
このように、設定器31から指向性の強い赤外線信号を特定の照明装置11へ向けて送信することにより、その特定の照明装置11が赤外線信号を受信して設定状態となって応答信号を送信し、設定器31が照明装置11から応答する無線信号を受信してアドレス情報の無線信号を送信し、設定状態となっている特定の照明装置11に対してアドレス情報を容易に設定できる。
【０１３４】
次に、図１３は第５の実施の形態を示す照明システムの構成図である。
【０１３５】
照明システムの基本構成は第１の実施の形態と同様であるが照明装置11および設定器31の機能の一部が相違している。
【０１３６】
照明装置11には、出荷時に、暫定アドレス情報が予め設定されている。この暫定アドレス情報には、照明側制御部16のハードウェア上に書き込まれているハードウェア固有のアドレス情報や、ソフトウェア上で書き込まれたアドレス情報などが含まれる。照明装置11の照明側制御部16は、照明側送受信部14から設定用の無線信号を受信したときに設定用の無線信号の受信強度を検知しこの受信強度データおよび予め設定されている暫定アドレス情報の無線信号を送信させ、照明側送受信部14で該当する暫定アドレス情報とともに新たなアドレス情報の無線信号を受信したときに新たなアドレス情報を設定する機能を有している。
【０１３７】
設定器31の設定側制御部36は、設定側送受信部34から設定用の無線信号を送信させるとともに、照明装置11からの暫定アドレス情報とともに受信強度データの無線信号を受信し、受信強度に基づいて特定した暫定アドレス情報とともに新たなアドレス情報の無線信号を送信させる機能を有している。
【０１３８】
そして、照明装置11のアドレスの設定動作について説明する。
【０１３９】
設定作業者は、設定器31を照明装置11が設置された場所に配置し、アドレス情報を設定する１つの照明装置11に最も近い位置で、設定器31から設定用の無線信号を送信させる。
【０１４０】
設定器31からの無線信号の送信出力に応じた受信可能範囲に位置する各照明装置11では、設定用の無線信号を受信してその受信強度を検知し、その受信強度データおよび各照明装置11に予め設定されている暫定アドレス情報の無線信号を送信する。
【０１４１】
設定器31は複数の照明装置11からの暫定アドレス情報とともに受信強度データの無線信号を受信し、受信強度に基づいて、最も受信強度の強い暫定アドレス情報を最も近くに位置する照明装置11であると特定でき、この暫定アドレス情報とともに新たなアドレス情報の無線信号を送信する。
【０１４２】
照明装置11は、該当する暫定アドレス情報とともにアドレス情報の無線信号を受信し、自己の照明装置11のアドレス情報として照明側制御部16のメモリに登録する。
【０１４３】
続いて、別の特定の照明装置11のアドレス情報を設定する場合には、設定器31を次の１つの照明装置11に最も近い位置に移動し、同様に設定する。
【０１４４】
このように、設定器31から設定用の無線信号を送信することにより、この設定用の無線信号を受信した照明装置11が設定用の無線信号の受信強度を検知しこの受信強度データおよび予め設定されている暫定アドレス情報の無線信号を送信し、設定器31が照明装置11からの暫定アドレス情報とともに受信強度データの無線信号を受信し、受信強度に基づいて照明装置11を特定でき、特定した照明装置11の暫定アドレス情報とともに新たなアドレス情報の無線信号を送信し、特定した照明装置11が該当する暫定アドレス情報とともに新たなアドレス情報の無線信号を受信して新たなアドレス情報を設定することができ、照明装置11に対してアドレス情報を容易に設定できる。
【図面の簡単な説明】
【０１４５】
【図１】本発明の第１の実施の形態を示す照明システムの構成図である。
【図２】同上照明システムの照明装置のアドレス情報やグループ情報の設定方法を示す説明図である。
【図３】同上照明システムの照明装置の概略断面図である。
【図４】同上照明システムの照明装置を平面方向から示したアドレス設定を説明する説明図である。
【図５】同上照明システムの照明装置を平面方向から示したグループ設定を説明する説明図である。
【図６】同上照明システムのグループ設定を示すシーケンス図である。
【図７】同上照明システムの照明装置のグループ設定における除外対象の照明装置の特定方法を(a)〜(c)に平面方向から示す説明図である。
【図８】同上照明システムのグループ設定におけるグループからの除外を示すシーケンス図である。
【図９】同上照明システムのグループ設定におけるグループへの追加を示すシーケンス図である。
【図１０】本発明の第２の実施の形態を示す照明システムの構成図である。
【図１１】本発明の第３の実施の形態を示す照明システムの構成図である。
【図１２】本発明の第４の実施の形態を示す照明システムの構成図である。
【図１３】本発明の第５の実施の形態を示す照明システムの構成図である。
【符号の説明】
【０１４６】
11    照明装置
12    光源としての蛍光ランプ
13    点灯装置
14    受信部としての照明側送受信部
16    照明側制御部
22    器具本体
31    設定器
33    入力部
34    送信部としての設定側送受信部
36    設定側制御部
42    赤外線受信部
44    赤外線送信部
【図１】
2006093098.tif 000003
【図２】
2006093098.tif 000004
【図３】
2006093098.tif 000005
【図４】
2006093098.tif 000006
【図５】
2006093098.tif 000007
【図６】
2006093098.tif 000008
【図７】
2006093098.tif 000009
【図８】
2006093098.tif 000010
【図９】
2006093098.tif 000011
【図１０】
2006093098.tif 000012
【図１１】
2006093098.tif 000013
【図１２】
2006093098.tif 000014
【図１３】
2006093098.tif 000015